【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
画像処理を行うための複数の機能を有し、情報処理装置からの要求に応じて当該複数の機能にそれぞれ対応する複数の識別子情報を送信する機能を有する画像処理装置であって、
前記複数の機能に対応する識別子情報の中から、１つ又は複数の応答すべき識別子情報を設定する設定手段と、
識別子情報の取得の要求を、前記情報処理装置から受け付ける受け付け手段と、
前記受け付け手段により、前記識別子情報の取得の要求が受け付けられると、前記設定手段により設定された１つ又は複数の識別子情報を、前記情報処理装置に対して送信する送信手段とを有することを特徴とする画像処理装置。
【請求項２】
前記複数の機能の一覧を表示装置に表示する表示手段を有し、
前記送信手段は、前記受け付け手段により、前記識別子情報の取得の要求が受け付けられると、前記複数の機能の一覧の中からユーザによって予め指定された１つ又は複数の機能のそれぞれを識別するための１つ又は複数の識別子情報を前記情報処理装置に送信することを特徴とする請求項１に記載の画像処理装置。
【請求項３】
前記情報処理装置が有する表示装置上に、前記複数の機能の一覧を表示させるための情報を、ネットワークを介して前記情報処理装置に送信する第２の送信手段と、
前記第２の送信手段により送信された情報に基づいて前記情報処理装置が有する表示装置に表示された複数の機能の一覧の中からユーザによって指定された１つ又は複数の機能を受け付ける第２の受け付け手段とを有し、
前記送信手段は、前記受け付け手段により、前記識別子情報の取得の要求が受け付けられると、前記第２の受け付け手段により受け付けられた１つ又は複数の機能のそれぞれを識別するための１つ又は複数の識別子情報を前記情報処理装置に対して送信することを特徴とする請求項１又は２に記載の画像処理装置。
【請求項４】
前記機能は、プリンタ機能と、ファクシミリ機能とを含み、
前記複数の識別子情報とは、当該複数の機能にそれぞれ対応するデバイスＩＤであることを特徴とする請求項１〜３の何れか１項に記載の画像処理装置。
【請求項５】
前記情報処理装置を含む外部装置が通信可能に接続されるようにするための通信インタフェースを有し、
前記通信インタフェースは、ＵＳＢ（Universal Serial Bus）通信規格に対応し、前記複数の機能毎に、ＵＳＢの論理インタフェースが分かれて構成されていることを特徴とする請求項１〜４の何れか１項に記載の画像処理装置。
【請求項６】
前記受け付け手段により、前記識別子情報の取得の要求が受け付けられると、前記設定手段により設定された１つ又は複数の識別子情報を、前記情報処理装置に対して前記送信手段は送信し、
前記設定手段により設定されなかった１つ又は複数の識別子情報を、前記情報処理装置に対して送信する処理を制限することを特徴とする請求項１〜５の何れか１項に記載の画像処理装置。
【請求項７】
画像処理を行うための複数の機能を有する画像処理装置と通信する情報処理装置であって、
前記画像処理装置に対して前記機能を識別するための識別子情報の取得を要求する要求手段と、
前記要求手段による要求に対する応答として、ユーザによって予め指定された複数の機能のそれぞれを識別するための複数の識別子情報を、前記画像処理装置から取得する取得手段と、
前記取得手段により取得された複数の識別子情報に基づいて、前記画像処理装置が有する機能を実行するための複数のドライバを選択してインストールするインストール手段と有することを特徴とする情報処理装置。
【請求項８】
前記識別子情報と、その識別子情報で識別される機能を実行するためのドライバとを含むドライバセットを、前記複数の機能について記憶媒体に予め記憶する記憶手段を有し、
前記インストール手段は、前記画像処理装置がネットワークを介して通信可能に接続されると、前記取得手段により取得された識別子情報と、前記記憶手段により予め記憶されたドライバセットに含まれている識別子情報とに基づいて、前記画像処理装置が有する機能を実行するためのドライバを選択してインストールすることを特徴とする請求項７に記載の情報処理装置。
【請求項９】
前記インストール手段によりインストールされたドライバに対応するアイコンを表示装置に表示する表示手段を有する請求項７又は８に記載の情報処理装置。
【請求項１０】
画像処理を行うための複数の機能を有し、情報処理装置からの要求に応じて当該複数の機能にそれぞれ対応する複数の識別子情報を送信する機能を有する画像処理装置の制御方法であって、
前記複数の機能に対応する識別子情報の中から、１つ又は複数の応答すべき識別子情報を設定する設定工程と、
識別子情報の取得の要求を、前記情報処理装置から受け付ける受け付け工程と、
前記受け付け工程により、前記識別子情報の取得の要求が受け付けられると、前記設定工程により設定された１つ又は複数の識別子情報を、前記情報処理装置に対して送信する送信工程とを有することを特徴とする画像処理装置の制御方法。
【請求項１１】
前記複数の機能の一覧を表示装置に表示する表示工程を有し、
前記送信工程は、前記受け付け工程により、前記識別子情報の取得の要求が受け付けられると、前記複数の機能の一覧の中からユーザによって予め指定された１つ又は複数の機能のそれぞれを識別するための１つ又は複数の識別子情報を前記情報処理装置に送信することを特徴とする請求項１０に記載の画像処理装置の制御方法。
【請求項１２】
前記情報処理装置が有する表示装置上に、前記複数の機能の一覧を表示させるための情報を、ネットワークを介して前記情報処理装置に送信する第２の送信工程と、
前記第２の送信工程により送信された情報に基づいて前記情報処理装置が有する表示装置に表示された複数の機能の一覧の中からユーザによって指定された１つ又は複数の機能を受け付ける第２の受け付け工程とを有し、
前記送信工程は、前記受け付け工程により、前記識別子情報の取得の要求が受け付けられると、前記第２の受け付け工程により受け付けられた１つ又は複数の機能のそれぞれを識別するための１つ又は複数の識別子情報を前記情報処理装置に対して送信することを特徴とする請求項１０又は１１に記載の画像処理装置の制御方法。
【請求項１３】
前記機能は、プリンタ機能と、ファクシミリ機能とを含み、
前記複数の識別子情報とは、当該複数の機能にそれぞれ対応するデバイスＩＤであることを特徴とする請求項１０〜１２の何れか１項に記載の画像処理装置の制御方法。
【請求項１４】
前記画像処理装置は、前記情報処理装置を含む外部装置が通信可能に接続されるようにするための通信インタフェースを有し、
前記通信インタフェースは、ＵＳＢ（Universal Serial Bus）通信規格に対応し、前記複数の機能毎に、ＵＳＢの論理インタフェースが分かれて構成されていることを特徴とする請求項１０〜１３の何れか１項に記載の画像処理装置の制御方法。
【請求項１５】
前記受け付け工程により、前記識別子情報の取得の要求が受け付けられると、前記設定工程により設定された１つ又は複数の識別子情報を、前記情報処理装置に対して前記送信工程は送信し、
前記設定工程により設定されなかった１つ又は複数の識別子情報を、前記情報処理装置に対して送信する処理を制限することを特徴とする請求項１０〜１４の何れか１項に記載の画像処理装置の制御方法。
【請求項１６】
画像処理を行うための複数の機能を有する画像処理装置と通信する情報処理装置の制御方法であって、
前記画像処理装置に対して前記機能を識別するための識別子情報の取得を要求する要求工程と、
前記要求工程による要求に対する応答として、ユーザによって予め指定された複数の機能のそれぞれを識別するための複数の識別子情報を、前記画像処理装置から取得する取得工程と、
前記取得工程により取得された複数の識別子情報に基づいて、前記画像処理装置が有する機能を実行するための複数のドライバを選択してインストールするインストール工程と有することを特徴とする情報処理装置の制御方法。
【請求項１７】
前記識別子情報と、その識別子情報で識別される機能を実行するためのドライバとを含むドライバセットを、前記複数の機能について記憶媒体に予め記憶する記憶工程を有し、
前記インストール工程は、前記画像処理装置がネットワークを介して通信可能に接続されると、前記取得工程により取得された識別子情報と、前記記憶工程により予め記憶されたドライバセットに含まれている識別子情報とに基づいて、前記画像処理装置が有する機能を実行するためのドライバを選択してインストールすることを特徴とする請求項１６に記載の情報処理装置の制御方法。
【請求項１８】
前記インストール工程によりインストールされたドライバに対応するアイコンを表示装置に表示する表示工程を有することを特徴とする請求項１６又は１７に記載の情報処理装置の制御方法。
【請求項１９】
画像処理を行うための複数の機能を有し、情報処理装置からの要求に応じて当該複数の機能にそれぞれ対応する複数の識別子情報を送信する機能を有する画像処理装置の制御方法をコンピュータに実行させる制御プログラムを記憶したコンピュータ読み取り可能な記憶媒体であって、
前記複数の機能に対応する識別子情報の中から、１つ又は複数の応答すべき識別子情報を設定する設定工程と、
識別子情報の取得の要求を、前記情報処理装置から受け付ける受け付け工程と、
前記受け付け工程により、前記識別子情報の取得の要求が受け付けられると、前記設定工程により設定された１つ又は複数の識別子情報を、前記情報処理装置に対して送信する送信工程とを有する画像処理装置の制御方法をコンピュータに実行させる制御プログラムを記憶したことを特徴とするコンピュータ読み取り可能な記憶媒体。
【請求項２０】
画像処理を行うための複数の機能を有する画像処理装置と通信する情報処理装置の制御方法をコンピュータに実行させる制御プログラムを記憶したコンピュータ読み取り可能な記憶媒体であって、
前記画像処理装置に対して前記機能を識別するための識別子情報の取得を要求する要求工程と、
前記要求工程による要求に対する応答として、ユーザによって予め指定された複数の機能のそれぞれを識別するための複数の識別子情報を、前記画像処理装置から取得する取得工程と、
前記取得工程により取得された複数の識別子情報に基づいて、前記画像処理装置が有する機能を実行するための複数のドライバを選択してインストールするインストール工程と有する情報処理装置の制御方法をコンピュータに実行させる制御プログラムを記憶したことを特徴とするコンピュータ読み取り可能な記憶媒体。